(57)【要約】【課題】ＤＰＳＫ／ＡＳＫ変調を使用して光ラベル・パケットを送信するためのシステムおよび方法を提供すること。【解決手段】このシステムは、光ラベル・パケットのペイロード部分のＤＰＳＫ変調および光ラベル・パケットのラベル部分をＡＳＫ変調するように構成された少なくとも２つの変調器を含む送信器を有する。光ラベル・パケットのペイロード部分の検波のための平衡検波器を含む受信器もやはり設けられる。【選択図】図１
2005110266.tif 000002
【特許請求の範囲】
【請求項１】
光ラベル・パケットを生成するための光送信器であって、
光ラベル・パケットのペイロード部分をＤＰＳＫ変調するためにペイロード信号によって駆動される位相変調器と、
位相変調器に結合された、光ラベル・パケットのラベル部分をＡＳＫ変調するためにラベル信号によって駆動される輝度変調器とを備える光送信器。
【請求項２】
ペイロード信号が約２．５Ｇｂ／ｓよりも大きいデータ速度を有する高速信号であり、ラベル信号がペイロード信号のデータ速度の約１／４よりも小さいデータ速度を有する低速信号である、請求項１に記載の光送信器。
【請求項３】
ＡＳＫ変調の消光比が約２ｄＢと約８ｄＢの間にある、請求項１に記載の光送信器。
【請求項４】
光ラベル・パケットを生成するための送信器を含むシステムであって、送信器が、
光ラベル・パケットのペイロード部分をＤＰＳＫ変調するためにペイロード信号によって駆動される位相変調器と、
位相変調器に結合された、光ラベル・パケットのラベル部分をＡＳＫ変調するためにラベル信号によって駆動される輝度変調器とを備えるシステム。
【請求項５】
光ラベル・パケットの位相と振幅を維持する一方で四波混合処理を使用して光ラベル・パケットを波長変換するための波長変換器をさらに含む、請求項４に記載のシステム。
【請求項６】
ラベルの挿入、ラベルの削除および／またはラベルの読み取りを提供するように構成されたラベル処理器をさらに含む、請求項４に記載のシステム。
【請求項７】
光ラベル・パケットの送信のための通信方法であって、
ペイロード情報を搬送するためのＤＰＳＫ変調およびラベル情報を搬送するためのＡＳＫ変調を使用してレーザ源からの光を変調する工程を含む通信方法。
【請求項８】
光ラベル・パケットのペイロードが約２．５Ｇｂ／ｓよりも大きいデータ速度の高速データを含み、ラベルがペイロードのデータ速度の約１／４よりも小さいデータ速度の低速データを含む、請求項７に記載の方法。
【請求項９】
ＲＺ  ＤＰＳＫペイロード信号の発生を可能にするためにパルスを発生する工程をさらに含む、請求項７に記載の方法。
【請求項１０】
光ラベル・パケットの送信のための通信システムであって、
ペイロード情報を搬送するためのＤＰＳＫ変調およびラベル情報を搬送するためのＡＳＫ変調を使用してレーザ源からの光を変調するための手段を含む通信システム。
【発明の詳細な説明】
【技術分野】
【０００１】
本発明は、概して、光でラベル付けされたパケット送信に関し、さらに特定すると光ラベル・パケット交換を可能にするために光ラベル・パケットを送信するシステムおよび方法に関する。
【背景技術】
【０００２】
光パケット交換は、サブ波長の細分性を提供することによってＷＤＭ光ネットワークの容量のさらに効果的かつ柔軟的な利用を可能にする興味深い技術である。パケット交換方式の１つである光ラベル交換は将来のデータ量の多いネットワークに重要ないくつかの主要な機能を提供する。これらの機能は、全光学的なデータ・プレーンでプロトコルとフォーマットに依存しない透過性、制御プレーンにおける単純化、およびレガシーおよびＧＭＰＬＳを含む新興ネットワーク技術との相互運用性を含む。そのような交換方式は、参照によって本明細書に組み込むＤ．Ｊ．Ｂｌｕｍｅｎｔｈａｌらの「Ａｌｌ−Ｏｐｔｉｃａｌ  Ｌａｂｅｌ  Ｓｗａｐｐｉｎｇ  Ｎｅｔｗｏｒｋｓ  ａｎｄ  Ｔｅｃｈｎｏｌｏｇｉｅｓ」，Ｊｏｕｒｎａｌ  ｏｆ  Ｌｉｇｈｔｗａｖｅ  Ｔｅｃｈｎｏｌｏｇｉｅｓ，Ｖｏｌ．１８，Ｎｏ１２，ｐｐ．２０５８〜２０７５（２０００）で論じられている。
【０００３】
振幅シフト・キーイング（ＡＳＫ）変調を使用してパケット・ペイロードが搬送され、かつ微分位相シフト・キーイング（ＤＰＳＫ）変調を使用してパケット・ラベルが搬送される光ラベル・パケット送信方式が提案された。そのような光ラベル発生方式は、参照によって本明細書に組み込むＮ．Ｃｈｉらの「Ｔｒａｎｓｍｉｓｓｉｏｎ  ａｎｄ  Ｔｒａｎｓｐａｒｅｎｔ  Ｗａｖｅｌｅｎｇｔｈ  Ｃｏｎｖｅｒｓｉｏｎ  ｏｆ  ａｎ  Ｏｐｔｉｃａｌｌｙ  Ｌａｂｅｌｌｅｄ  Ｓｉｇｎａｌ  Ｕｓｉｎｇ  ＡＳＫ／ＤＰＳＫ  Ｏｒｔｈｏｇｏｎａｌ  Ｍｏｄｕｌａｔｉｏｎ」，ＩＥＥＥ  Ｐｈｏｔｏｎｉｃｓ  Ｔｅｃｈｎｏｌｏｇｙ  Ｌｅｔｔｅｒｓ，Ｖｏｌ．１５，ｐｐ．７６０〜７６２（２００３）で論じられている。１０Ｇｂ／ｓ  ＡＳＫペイロードおよび２．５Ｇｂ／ｓ  ＤＰＳＫラベルに関して、光前置増幅器を備えた受信器の感度、約−２６ｄＢｍと−３０ｄＢｍ（ＢＥＲ＝１０−９）がそれぞれ得られた。
【非特許文献１】Ｄ．Ｊ．Ｂｌｕｍｅｎｔｈａｌらの「Ａｌｌ−Ｏｐｔｉｃａｌ  Ｌａｂｅｌ  Ｓｗａｐｐｉｎｇ  Ｎｅｔｗｏｒｋｓ  ａｎｄ  Ｔｅｃｈｎｏｌｏｇｉｅｓ」，Ｊｏｕｒｎａｌ  ｏｆ  Ｌｉｇｈｔｗａｖｅ  Ｔｅｃｈｎｏｌｏｇｉｅｓ，Ｖｏｌ．１８，Ｎｏ１２，ｐｐ．２０５８〜２０７５（２０００）
【非特許文献２】Ｎ．Ｃｈｉらの「Ｔｒａｎｓｍｉｓｓｉｏｎ  ａｎｄ  Ｔｒａｎｓｐａｒｅｎｔ  Ｗａｖｅｌｅｎｇｔｈ  Ｃｏｎｖｅｒｓｉｏｎ  ｏｆ  ａｎ  Ｏｐｔｉｃａｌｌｙ  Ｌａｂｅｌｌｅｄ  Ｓｉｇｎａｌ  Ｕｓｉｎｇ  ＡＳＫ／ＤＰＳＫ  Ｏｒｔｈｏｇｏｎａｌ  Ｍｏｄｕｌａｔｉｏｎ」，ＩＥＥＥ  Ｐｈｏｔｏｎｉｃｓ  Ｔｅｃｈｎｏｌｏｇｙ  Ｌｅｔｔｅｒｓ，Ｖｏｌ．１５，ｐｐ．７６０〜７６２（２００３）
【非特許文献３】Ｘ．ＬｉｕらによりＥＣＯＣ’０３に投稿された「Ｏｐｔｉｃａｌ−Ｌａｂｅｌ  Ｓｗｉｔｃｈｉｎｇ  Ｂａｓｅｄ  Ｏｎ  ＤＰＳＫ／ＡＳＫ  Ｍｏｄｕｌａｔｉｏｎ  Ｆｏｒｍａｔ  Ｗｉｔｈ  Ｂａｌａｎｃｅｄ  Ｄｅｔｅｃｔｉｏｎ  Ｆｏｒ  ＤＰＳＫ  Ｐａｙｌｏａｄ」という表題の論文
【発明の開示】
【発明が解決しようとする課題】
【０００４】
Ｎ．Ｃｈｉらによって提案されたような低速のラベル情報を搬送するためにＤＰＳＫ変調を使用し、高速のペイロード情報を搬送するためにＡＳＫを使用する先行技術の仕組みはいくつかの欠点を有する。第１に、ＤＰＳＫ変調は低速のラベル情報を搬送するために使用されるので、ＤＰＳＫ復調に必要とされる遅延干渉計は遅延干渉計の２つのアームの間で長い遅延の差異を有し、それは極めて温度に敏感であり、かつ偏光に敏感である。第２に、ラベルのデータ速度のどのような変化も（整合のとれた遅延を得るために）遅延干渉計の変更を必要とする。第３に、ラベルが位相変調されるのでパケット・ラベルの削除および挿入が困難である。ラベルを削除するために、Ｃｈｉらは相互利得変調の使用を提案しているがそれは信号の波長を変えることになる。これは、信号波長を維持することを必要とする場合に望ましくない。ラベルを付け加えるために、高価な位相弁別変調が必要とされる。最後に、低速のＤＰＳＫは高コヒーレンス（狭帯域幅）供給源の（ＣＷ）レーザを必要とし、かつ相互位相変調（ＸＰＭ）のような非線形効果に対する許容範囲が狭い。
【課題を解決するための手段】
【０００５】
本発明はＤＰＳＫ／ＡＳＫ変調を使用する光ラベル・パケットを送信するためのシステムおよび方法を提供する。好ましい実施形態では、光ラベル・パケットのペイロード部分のＤＰＳＫ変調と光ラベル・パケットのラベル部分のためのＡＳＫ変調するように構成された少なくとも２つの変調器を含む送信器を有してシステムが提供される。本システムはさらに、光ラベル・パケットのペイロード部分の検波のための平衡検波器を有する受信器を含むことが可能である。
【０００６】
本発明による方法の好ましい実施形態では、レーザ源から入る光を、ペイロード情報を搬送するためのＤＰＳＫ変調およびラベル情報を搬送するためのＡＳＫ変調を使用して変調する工程を有して光ラベル・パケットの送信のための通信方法が提供される。
【発明を実施するための最良の形態】
【０００７】
本発明の好ましい実施形態によると、ペイロード／ラベル情報を搬送するためにＤＰＳＫ／ＡＳＫ変調形式を使用し、かつＤＰＳＫ／ＡＳＫ信号のＤＰＳＫペイロード部分に関して平衡検波を使用するシステムと方法が提供される。本発明は先行技術の仕組みを上回るいくつかの利点を提供する。第１に、高速のペイロードを搬送するためにＤＰＳＫが使用され、それゆえに（ＤＰＳＫの復調に使用される）遅延ライン干渉計の温度安定性が大幅に改善され、干渉計の２つのアーム間の相対的遅延が縮小されるため、その偏光感受性が大幅に低減される。第２に、干渉計を変化させることなく、ラベルのデータ速度を（例えば２．５Ｇｂ／ｓから１５５Ｍｂ／ｓで）調節することが可能である。第３に、平衡受信器の使用がパケット・パワーの変動に対するＤＰＳＫ受信器の許容範囲を改善するだけでなく、ＤＰＳＫ受信器の感度を（約３ｄＢ）ならびに（ＡＳＫ変調に関する一層高い消光比を可能にすることによって）ＡＳＫ受信器の感度もまた実質的に高めることが可能である。第４に、ラベルの削除および挿入は、それが輝度変調されるので、はるかに容易である。
【０００８】
本発明によるシステムの一実施形態１００が図１に例示されている。システム１００はＤＰＳＫ／ＡＳＫ送信器１１０、およびＤＰＳＫ／ＡＳＫ受信器１５０を含むことが好ましい。動作時では、レーザ１１２から入る光がペイロード・データ信号１１３を使用してＤＰＳＫ変調されることで位相変調器１１４を駆動する。ペイロード・データ信号１１３は約２．５Ｇｂ／ｓよりも大きいデータ速度を有する高速信号であることが好ましい。
【０００９】
位相変調器１１４は単一導波路の変調器、マッハ・ツェンダ（ＭＺＭ）などであることが可能である。ＭＺＭは多様な電子−光学的材料、例えばＬｉＮｂＯ３から作製することが可能であり、０とπの間で光信号の位相を切り換えるためにゼロ点にバイアスされて〜２Ｖπで駆動されることが好ましい。実質的に完全な位相値（０とπ）を備えたＤＰＳＫ信号を作り出すために、チャープのないＭＺＭが使用されることが好ましい。位相変調の前にＤＰＳＫ符号化を実行するようにエンコーダ１１５が使用されることが好ましい。
【００１０】
レーザ１１２から出る光のＡＳＫ変調するために輝度変調器１２０が位相変調器１１４に結合される。輝度変調器１２０ＡＳＫラベル・データ信号１２５によって駆動されることが好ましい。ＡＳＫラベル・データ信号はペイロード・データ信号速度の１／４よりも小さいデータ速度を有する低速信号であることが好ましい。輝度変調器１２０は約２ｄＢと約８ｄＢの間の低い消光比（ＥＲ）を生じるように駆動されることが好ましい。輝度変調器１２０はＭＺＭ、電界吸収型変調器（ＥＡＭ）などとすることが可能である。ＭＺＭの場合、ＭＺＭを低レベルで駆動し、かつバイアス点を直交点から離してシフトすることによって低いＥＲを達成することが可能である。ＥＡＭを伴なう変調の場合、バイアス点をシフトすることによって低いＥＲを達成することが可能である。
【００１１】
レーザ光のＤＰＳＫペイロード変調とＡＳＫラベル変調の順序は逆転することが可能であり、それでもなお本発明による光ラベル・パケットを提供することは当業者に理解され得る。
【００１２】
受信器１５０は光前置増幅器としてエルビウム・ドープされたファイバ増幅器１６０（ＥＤＦＡ）を含むことが好ましい。増幅された自然放出光（ＡＳＥ）ノイズから生じる不利益を減少させるために、光学フィルタ１６１は増幅器１６０の後段に設けられることが好ましい。その後、増幅された信号が２つの経路１６５、１６６へと分けられることが好ましい。一方の経路１６５は受信された信号をＤＰＳＫ受信器１９０へと伝送する。ＤＰＳＫ受信器１９０はＤＰＳＫペイロード（すなわち光ラベル・パケットのＤＰＳＫ変調された部分または成分）の検波のための１ビット遅延干渉計１９２、平衡検波器１９４、および差動ＲＦ増幅器１９６を有することが好ましい。他方の経路１６６は受信された信号をパケット・ラベル（すなわち光ラベル・パケットのＡＳＫ変調された部分または成分）の検波のためにＡＳＫ検波器１９８へと伝送する。
【００１３】
ＤＰＳＫ受信器１９０の光遅延干渉計１９２は経路１６５上の光を２つのアームへと分割し、一方のアームを約１ビット周期遅延させる。遅延干渉計１９２によって提供される遅延が正確に１ビット周期から変化することが可能であり、それでもなお受信パケットのペイロード部分の受信を可能にするために充分な遅延を提供することは当業者に理解され得る。遅延干渉計１９２によって提供される遅延はビット周期の約０．８倍と約１．２倍の間であることが好ましい。
【００１４】
本発明によるシステムの他の好ましい実施形態では、ラベルの読み取り、ラベルの挿入、および／またはラベルの削除を提供するためにラベル処理装置（図示せず）が設けられる。図６は本発明の好ましい実施形態によるラベルの削除および挿入を例示している。
【００１５】
ラベルの削除を提供する装置では、ラベルのデータ速度と同様の（またはそれよりも速い）スピードを備えたチャープのない飽和形増幅器６１０が使用されることが好ましい。そのような増幅器は比較的単純かつコンパクトな半導体光増幅器（ＳＯＡ）、ファイバ型ラマン増幅器などであることが可能である。図７は飽和形ＳＯＡを使用してＡＳＫラベルを削除されたＤＰＳＫアイ図を示している。
【００１６】
ラベルの挿入については、低速の輝度変調器６２０（例えばＭＺＭまたはＥＡＭ）が使用される可能性がある。信号の偏光は時間および場所で変わっていくので、輝度変調器は偏光と無関係であることが好ましい。パケットのラベル・データが位相変調される先行技術のＡＳＫ／ＤＰＳＫの仕組みと比較すると、本発明によるラベルの削除および挿入は実質的に単純化される。
【００１７】
通常ではコアのルータに必要とされる波長変換については、位相維持型の四波混合（ＦＷＭ）処理が本発明に従って使用される可能性がある。ＦＷＭ処理は、例えば極度に非線形のファイバまたは高速ＳＯＡ内で実現することが可能である。図８は本発明の好ましい実施形態によるＤＰＳＫ／ＡＳＫパケットの波長変換を例示している。光パケットの振幅と位相の両方が保持されることが好ましい。図８に示されるように、波長λ１の光ラベル化ＤＰＳＫ／ＡＳＫパケットが波長λ０のポンプ光と一緒にＦＷＭ媒体を通される。λ２〜２λ０−λ１で波長λ２の新たなパケットが（ＦＷＭ処理を通じて）作り出され、元のパケットと同じペイロードおよびラベルの情報を担持する。
【００１８】
図２はフェーザ図のペイロードとラベルの配座図を座標で例示している。図中で、ｘ軸は光学領域の実数部分を表わし、ｙ軸は光学領域の虚数部分を表わす。ＤＰＳＫペイロード・データ１１３は、隣接するビットの正負記号（または位相）を比較するためにｙ軸に識別閾値を設定することによって受信器１５０で回収することが可能である。ＤＰＳＫペイロード・データのそのような回収は、上述したような遅延干渉計１９２と平衡検波器１９４を使用し、識別閾値を０に設定することによって実現することが可能である。例えば、隣り合う２つのビットが同じ（または反対の）正負記号を有していれば、「１」（または「−１」）が判定される。ＡＳＫラベル・データは、記号の大きい方と小さい方の振幅の平均値である半径を備えた円２１０に識別閾値を設定することによって回収することが可能である。
【００１９】
１０Ｇｂ／ｓのペイロード信号と２．５Ｇｂ／ｓのラベル信号でもって実験に基づいて本発明の実施形態が実証されてきた。使用されたレーザは１５５０ｎｍで動作するチューナブル・レーザであった。位相変調を達成するために、ゼロにバイアスされて２Ｖπで駆動されたＭＺＭを変調することによってレーザ光にペイロード・データが１０Ｇｂ／ｓで加えられた。ＭＺＭから得られるＤＰＳＫ信号に６ｄＢのＥＲを備えたＡＳＫ変調によってラベル情報を２．５Ｇｂ／ｓで挿入するために輝度変調が使用された。輝度変調のＥＲは、ラベル・データ速度をペイロード・データ速度の１／４にしてペイロードとラベルについてほぼ同等の受信器感度を可能にするように設定された。約０．８Ｖπの低レベルでＭＺＭを駆動し、バイアス点を直交点から約０．１Ｖπ離すようにシフトすることによって低いＥＲが達成された。
【００２０】
ＤＰＳＫ／ＡＳＫ送信器を簡素化するために、１０ＧＨｚの帯域幅と５．５ｄＢの合計挿入損失を備えた集積型２ステージＸカット（チャープなし）変調器が使用された。受信器では、約４．５ｄＢのＮＦを備えたＥＤＦＡが光前置増幅器として使用された。前置増幅器の後段の光学フィルタは約１００ＧＨｚの３ｄＢ帯域幅を有した。増幅された信号は２つの経路へと分けられ、一方はペイロード検波のための１００ｐｓの遅延干渉計、平衡検波器、および差動ＲＦ増幅器を含むＤＰＳＫ受信器へと入り、他方はラベル検波のためのＡＳＫ検波器に入った。
【００２１】
図３ａ〜ｂは連続的なＤＰＳＫ／ＡＳＫデータ・ストリームを伴なうＤＰＳＫ受信器および（１．５ＧＨｚのベッセル・フィルタを備えた）ＡＳＫ受信器で検波されたアイ図を示している。受信信号のＤＰＳＫペイロード部分の平衡検波器での検波については、最適識別レベルは約０であった。ＡＳＫラベルの検波については、ＡＳＫ変調のＥＲが約６ｄＢであるので「０」レベルは「１」レベルの約１／４である。改善された受信器感度に関すると、ＤＰＳＫデータの輝度変動を低減するため、および電気的ノイズを制限するために１．５ＧＨｚのベッセル・フィルタが使用された。
【００２２】
図４ａ〜ｂは実験による実証から得られたプロットであって、（前置増幅器の前段で）受信された光学的パワーに対するＢＥＲの依存性を示している。実験による実証に使用されたパターンはＤＰＳＫペイロード・データについては２７−１ＰＲＢＳであり、ＡＳＫラベル・データについては２９−１ＰＲＢＳであった。ペイロードとラベルの両方について−３２ｄＢｍよりも優れた受信器感度が達成された。パワーが低下するとき、平衡検波を備えたＤＰＳＫの固定識別レベルのためＤＰＳＫ性能はＡＳＫ性能よりもはるかに緩やかに低下することが判定された。所望であればラベルのビット・レートは（例えば約１５５Ｍｂ／ｓまで）下げることが可能であり、かつ全体としての受信器感度がそのときさらに改善され得ることが理解される。
【００２３】
スイッチング・ラベル信号を有するシステムをエミュレートするためにさらなる実験が行なわれた。送信器１００からのＤＰＳＫ／ＡＳＫ信号をオンとオフにスイッチングさせて光パケットを形成するためにパケット・エンベロープ発生器１３０およびＥＡＭ１３１が使用された。パケット・エンベロープ発生器１３０およびＥＡＭ１３１が本発明による光ラベル・パケットを生成するために必要ではないことは当業者に理解され得る。送信器１１０は、例えば変調器１１４、１２０を駆動するペイロードおよびラベル信号をオフに切り換え、輝度変調器のバイアス電圧を変えることによって送信器１１０でパケット作り出すように構成することが可能である。図５ａ〜ｂはＡＳＫ受信器とＤＰＳＫ受信器の後段で測定された送信パケットのオシロスコープ軌跡を示している。
【００２４】
分散許容範囲を見積もるために、送信器と受信器の間に２５ｋｍのＳＳＭＦ（Ｄ＝１７ｐｓ／ｋｍ／ｎｍ）が挿入され、１０Ｇｂ／ｓのペイロードに関して約１ｄＢ未満のパワーの不利益が見出され、２．５Ｇｂ／ｓのラベルについたは不利益は見出されなかった。実験による実証は、ここで参照で組み入れるＸ．ＬｉｕらによりＥＣＯＣ’０３に投稿された「Ｏｐｔｉｃａｌ−Ｌａｂｅｌ  Ｓｗｉｔｃｈｉｎｇ  Ｂａｓｅｄ  Ｏｎ  ＤＰＳＫ／ＡＳＫ  Ｍｏｄｕｌａｔｉｏｎ  Ｆｏｒｍａｔ  Ｗｉｔｈ  Ｂａｌａｎｃｅｄ  Ｄｅｔｅｃｔｉｏｎ  Ｆｏｒ  ＤＰＳＫ  Ｐａｙｌｏａｄ」という表題の論文に詳細に記述されている。
【００２５】
本発明は示された実施形態に従って説明されてきたが、それらの実施形態に変形例があり得ること、およびそれらの変形例が添付の特許請求項によって規定される本発明の精神と範囲内にあることを当業者は容易に理解するであろう。
【図面の簡単な説明】
【００２６】
【図１】本発明によるシステムの一実施形態を描く図である。
【図２】ＤＰＳＫペイロードおよびＡＳＫラベル記号の配座を具体的に座標で示す図である。
【図３ａ】本発明の一実施形態によるシステムの光ラベル・パケット送信に関して受信されるＤＰＳＫおよびＡＳＫの電気的アイを示す図である。
【図３ｂ】本発明の一実施形態によるシステムの光ラベル・パケット送信に関して受信されるＤＰＳＫおよびＡＳＫの電気的アイを示す図である。
【図４】本発明の実施形態によるシステムの測定されたＢＥＲ特性を座標で示す図である。
【図５ａ】ラベル受信器の後段で、かつペイロード受信器で測定された周期的スイッチング信号のオシロスコープ軌跡を示す図である。
【図５ｂ】ラベル受信器の後段で、かつペイロード受信器で測定された周期的スイッチング信号のオシロスコープ軌跡を示す図である。
【図６】本発明の実施形態によるラベルの削除および挿入を例示する概略図である。
【図７】本発明の一実施形態による光ラベル・パケット送信に関して、ＳＯＡを飽和させることによってラベルを削除されて受信されたＤＰＳＫの電気的アイを示す図である。
【図８】本発明の実施形態によるＤＰＳＫ／ＡＳＫ変調を備えた光ラベル・パケットのペイロード／ラベルを維持する波長変換を例示する概略図である。
【図１】
2005110266.tif 000003
【図２】
2005110266.tif 000004
【図３ａ】
2005110266.tif 000005
【図３ｂ】
2005110266.tif 000006
【図４】
2005110266.tif 000007
【図５ａ】
2005110266.tif 000008
【図５ｂ】
2005110266.tif 000009
【図６】
2005110266.tif 000010
【図７】
2005110266.tif 000011
【図８】
2005110266.tif 000012